(57)【要約】【課題】高い気温環境下においても快適かつ効果的に陰電位治療を行うことができる陰電位治療器を提供する。また、高い気温環境下においても低い気温環境下においても快適に過ごすことができる寝具を提供する。【解決手段】陰電位治療器１は、マット部２、通気部３、リモコン４および加温／陰電位発生部５を備える。通気部３は吸入部１０、通路部２０および排出部３０を備える。通路部２０はハニカムスペーサ２２を内部に有し、底面および両側面がスペーサカバー２１で被覆され、上面および両端面が開放されている。吸入部１０から吸入された気体は通路部２０を通って排出部３０から排出される。【選択図】        図１
2004167015.tif 000002
【特許請求の範囲】
【請求項１】
人体に陰電位治療を施すための陰電位治療器であって、
人体が横たわるためのマット部と、
前記マット部に設けられ陰電位を発生するための陰電位発生手段と、
前記マット部の少なくとも一部の表面に沿った内部空間に気体の流れを形成する通気手段とを備えたことを特徴とする陰電位治療器。
【請求項２】
前記通気手段は、
気体が吸入される気体吸入口と、
前記気体吸入口から吸入された気体が通る通路部と、
前記通路部を通る気体を排出するための気体排出口と、
前記気体吸入口から前記通路部を通して前記気体排出口に向かう気体の流れを形成する気流形成手段とを備えたことを特徴とする請求項１記載の陰電位治療器。
【請求項３】
前記気流形成手段は、気体排出口に設けられたファンを含むことを特徴とする請求項２記載の陰電位治療器。
【請求項４】
前記マット部に一辺から他辺に延びる凹部が形成され、
前記通路部は、前記凹部内に設けられたことを特徴とする請求項２または３記載の陰電位治療器。
【請求項５】
前記通路部にスペーサが設けられたことを特徴とする請求項２〜４のいずれかに記載の陰電位治療器。
【請求項６】
前記スペーサは、
上面および下面を構成するメッシュ材と、
前記上面のメッシュ材と前記下面のメッシュ材とを結合する複数の線材とからなることを特徴とする請求項５記載の陰電位治療器。
【請求項７】
前記上面のメッシュ材の網目の寸法は、前記下面のメッシュ材の網目の寸法よりも大きいことを特徴とする請求項６記載の陰電位治療器。
【請求項８】
前記複数の線材は、複数の方向を向き、略台形を構成するように編まれていることを特徴とする請求項６または７記載の陰電位治療器。
【請求項９】
前記通路部の前記スペーサの上面が含水性を有し通気性を有さないカバーで被覆されたことを特徴とする請求項５〜８のいずれかに記載の陰電位治療器。
【請求項１０】
前記通路部は、厚さが５ｍｍ以上１５ｍｍ以下であることを特徴とする請求項２〜９のいずれかに記載の陰電位治療器。
【請求項１１】
前記マット部は、内部に加温手段をさらに備えたことを特徴とする請求項１〜１０のいずれかに記載の陰電位治療器。
【請求項１２】
人体が横たわるためのマット部と、
前記マット部の少なくとも一部の表面に沿った内部空間に気体の流れを形成する通気手段と、
前記マット部に設けられた加温手段とを備えたことを特徴とする寝具。
【発明の詳細な説明】
【０００１】
【発明の属する技術分野】
本発明は、陰電位治療器および寝具に関する。
【０００２】
【従来の技術】
人体の近辺に陰電位に保った電極等を配置することにより肩凝り等に対する治療効果が得られることが知られている。従来より、かかる治療効果を有する採暖具が開発されている（例えば、特許文献１参照）。この採暖具は、例えば、寝具に加温機能および陰電位発生機能を設けたものである。この採暖具を陰電位治療器として使用すると、人体が加温されるととともに人体に陰電位治療が施される。一方、この採暖具を寝具として使用すると、人体が加温され快適に過ごすことができる。
【０００３】
【特許文献１】
特開平９−１８０８５７号公報
【０００４】
【発明が解決しようとする課題】
しかしながら、比較的高い気温の条件下においては、ヒータ等の電源がオフの状態であっても寝具の持つ保温性により人体が暑さを感じ、不快感を持つこともある。
【０００５】
一方、電気毛布等の寝具は、加温効果により冬には快適であるが夏には使用されない。したがって、年間を通して快適に使用できる寝具が望まれる。
【０００６】
本発明の目的は、高い気温環境下においても快適かつ効果的に陰電位治療を行うことができる陰電位治療器を提供することである。
【０００７】
本発明の他の目的は、高い気温環境下においても低い気温環境下においても快適に過ごすことができる寝具を提供することである。
【０００８】
【課題を解決するための手段および発明の効果】
本発明に係る陰電位治療器は、人体に陰電位治療を施すための陰電位治療器であって、人体が横たわるためのマット部と、マット部に設けられ陰電位を発生するための陰電位発生手段と、マット部の少なくとも一部の表面に沿った内部空間に気体の流れを形成する通気手段とを備えるものである。
【０００９】
本発明に係る陰電位治療器においては、陰電位発生手段から陰電位が発生するとともに、マット部の表面に沿った内部空間に気体が流動する。それにより、人体の汗が内部空間で気化するとともに気化した水蒸気が流動する気体により内部空間から排出される。このときの気化熱により冷却効果および除湿効果が得られる。したがって、周囲の気温が高い場合には、冷却効果および除湿効果により精神的および肉体的に快適な状態が得られ、緊張緩和が促進される。その結果、陰電位治療の効果が向上する。
【００１０】
通気手段は、気体が吸入される気体吸入口と、気体吸入口から吸入された気体が通る通路部と、通路部を通る気体を排出するための気体排出口と、気体吸入口から通路部を通して気体排出口に向かう気体の流れを形成する気流形成手段とを備えてもよい。
【００１１】
この場合、気流形成手段により気体吸入口から周辺の気体が吸い込まれ、吸い込まれた気体は通路部を通り、排出口を通って排出される。したがって、絶えず通路部に気体が供給され、人体が放出しマット部に蓄積された熱および水蒸気を排出口より排出することができる。さらに、通路部内の温度が一定に保たれる。
【００１２】
気流形成手段は、気体排出口に設けられたファンを含んでもよい。この場合、気体排出口に設けられたファンが動作することにより通路部に供給された気体が効率良く排出口から排出され、小電力により通路部内に気体の流れを形成することができる。
【００１３】
マット部に一辺から他辺に延びる凹部が形成され、通路部は、凹部内に設けられてもよい。この場合、通路部はマット部の一部に配置することができる。したがって、マット部全体に配置する必要がなくコストがかからない。また、使用者の好みにより通路部を配置することもできる。
【００１４】
通路部にスペーサが設けられてもよい。この場合、通路部内の気体の流れを確保することができるとともに通路部内を流動する気体は抵抗なく流動することができる。したがって、効率良く通路部内の気体を排出口から排出することができる。
【００１５】
スペーサは、上面および下面を構成するメッシュ材と、上面のメッシュ材と下面のメッシュ材とを結合する複数の線材とからなってもよい。この場合、通路部内の気体は抵抗なく流動することができる。したがって、効率良く通路部内の気体を排出口から排出することができる。
【００１６】
上面のメッシュ材の網目の寸法は、下面のメッシュ材の網目の寸法よりも大きくてもよい。この場合、人体と通路部内の気体が接する面積が大きくなる。したがって、通路部内の気体への熱伝導が効率良く行われる。
【００１７】
複数の線材は、複数の方向を向き、略台形を構成するように編まれていてもよい。この場合、複数の線材は一方向を向かずに、多方向を向いている。したがって、スペーサの上面にかかる荷重は多方向に分散され、スペーサの上面に人体の体重程度の荷重がかかっても押し潰されない。さらに、人体の荷重が分散されるため、柔らかな感触を得ることができる。
【００１８】
通路部のスペーサの上面が含水性を有し通気性を有さないカバーで被覆されてもよい。この場合、人体が発汗しても汗がカバーに吸収され、吸収された汗はスペーサ内を流動する気体により気化して排出口から排出される。また、絶えずスペーサ内に気体吸入口から気体が供給される。したがって、汗が気化することにより人体から熱が奪われ冷却効果が高まるとともに、スペーサ内の湿度が一定に保たれ、汗が効率良く気化する。
【００１９】
通路部は、厚さが５ｍｍ以上１５ｍｍ以下であってもよい。この場合、通路部を流れる気体は人体近辺の空間を通って排出口から排出される。したがって、人体から発生した熱が効率良く排出口から排出される。
【００２０】
マット部は、内部に加温手段をさらに備えてもよい。この場合、加温手段により加温することが可能である。したがって、気温の低い環境下においても人体に温感を与えつつ快適な状態で陰電位治療効果を発揮することができる。
【００２１】
本発明に係る寝具は、人体が横たわるためのマット部と、マット部の少なくとも一部の表面に沿った内部空間に気体の流れを形成する通気手段と、マット部に設けられた加温手段とを備えるものである。
【００２２】
本発明に係る寝具においては、マット部の表面に沿った内部空間に気体を流動させることができる。それにより、周囲の気温が高い場合には、冷却効果および除湿効果が得られる。したがって、周囲の温度が高い場合には、冷却効果および除湿効果により快適に過ごすことができる。
【００２３】
一方、加温手段により加温することもできる。それにより、寝具が加温される。したがって、周囲の気温が低い場合には、加温効果により快適に過ごすことができる。
【００２４】
【発明の実施の形態】
以下、本発明の実施の形態に係る陰電位治療器について説明する。
【００２５】
図１（ａ）は、本発明の実施の形態に係る陰電位治療器を説明する概略図、図１（ｂ）は、図１（ａ）のＡ−Ａ線拡大断面図、図１（ｃ）は、図１（ｂ）のＢ部の拡大断面図である。図１の陰電位治療器は、陰電位治療機能を有する寝具である。
【００２６】
図１（ａ）、（ｂ）に示すように、陰電位治療器１は、マット部２、通気部３、リモコン４および加温／陰電位発生部５を備える。さらに、通気部３は、吸入部１０、通路部２０および排出部３０を備える。
【００２７】
図１（ｃ）に示すように、マット部２は、ウレタン等からなる矩形のクッション材２ｂからなる。クッション材２ｂは、例えば、長さ約２ｍ、幅約１ｍ、および厚さ約５ｃｍ〜１０ｃｍの寸法を有する。クッション材２ｂの中央部より一方の短辺に近い位置において一方の長辺から他方の長辺に延びる長方形の凹部が形成され、凹部内に通気部３の通路部２０が設けられている。通路部２０の一端部に吸入部１０が設けられ、通路部２０の他端部に排出部３０が設けられている。
【００２８】
通気部３の通路部２０は、後述するハニカムスペーサ２２を内部に有し、底面および両側面がスペーサカバー２１で被覆され、上面および両端面が開放されている。ハニカムスペーサ２２は内部を空気が抵抗なく通過することが可能なハニカム構造の立体メッシュ編み物である。ハニカムスペーサ２２は、例えば、長さ約１ｍ、幅約３５ｃｍ、および厚さ１ｃｍの寸法である。なお、ハニカムスペーサ２２の厚さが５ｍｍよりも小さい場合、ハニカムスペーサ２２内の抵抗が大きくなり大型のファンが必要になることからコストがかかる。一方ハニカムスペーサ２２の厚さが１５ｍｍを超える場合、冷却効果が弱まる。したがって、ハニカムスペーサ２２の厚さは、５ｍｍ以上１５ｍｍ以下が好ましく、７ｍｍ以上１０ｍｍ以下がより好ましい。スペーサカバー２１の素材は、通気性がない合成繊維等からなる不織布またはフィルムである。
【００２９】
クッション材２ｂの下面側に後述するヒータおよび電床を含む加温／陰電位発生部５が配置されている。クッション材２ｂ、加温／陰電位発生部５およびハニカムスペーサ２２の外表面は、側生地２ａにより被覆されている。側生地２ａは、含水性を有し、かつ、通気性を有さない布等からなる。
【００３０】
使用者によるリモコン４の操作に基づいて、マット部２および通気部３が制御される。使用者がリモコン４の操作により通気動作を選択すると、通気部３がオンする。それにより、排出部３０の内部に設けられたファンが動作を開始し、吸入部１０から周辺の空気が吸い込まれ、吸い込まれた空気は通路部２０を通り、排出部３０内部に設けられたファンを通って排出される。
【００３１】
また、使用者がリモコン４の操作により加温動作を選択すると、加温／陰電位発生部５内部に設けられたヒータがオンする。それにより、ヒータが発熱し、クッション材２ｂを伝ってマット部２全体を加温する。
【００３２】
さらに、使用者がリモコン４の操作により陰電位治療を選択すると、加温／陰電位発生部５の内部に設けられた導体に負電位が与えられ、陰電位治療が行われる。
【００３３】
図２は、図１の排出部３０の構造を示す模式図である。
排出部３０は、空気入口３２および空気出口３３ａ，３３ｂを有し、ファン３１ａ，３１ｂを内蔵する。ファン３１ａ，３１ｂおよび空気出口３３ａ，３３ｂは排出部３０の両側部にそれぞれ設けられている。
【００３４】
ファン３１ａ，３１ｂが動作することにより空気入口３２から空気が吸い込まれ、吸い込まれた空気はファン３１ａ，３１ｂを通って空気出口３３ａ，３３ｂから排出される。
【００３５】
図３はハニカムスペーサ２２の斜視図である。図４（ａ）はハニカムスペーサ２２の平面図であり、図４（ｂ）は図４（ａ）のＣ−Ｃ線断面図であり、図４（ｃ）はハニカムスペーサ２２の底面図である。
【００３６】
図３に示すように、ハニカムスペーサ２２は、ハニカム構造の立体メッシュ編み物である。ハニカムスペーサ２２の上面および下面は適度な弾力性を有する合成繊維等を編むことにより得られる六角形のメッシュ材２２１，２２２からなり、上面のメッシュ材２２１と下面のメッシュ材２２２とは複数の繊維２２３で結合されている。
【００３７】
図４に示すように、ハニカムスペーサ２２の上面のメッシュ材２２１の網目の寸法はハニカムスペーサ２２の下面のメッシュ材２２２の網目の寸法よりも大きく設定されている。それにより、図１（ｂ）のスペーサカバー２１を介して人体とハニカムスペーサ２２内の空気が接する面積が大きく、スペーサ２２内の空気への熱伝導が効率良く行われる。
【００３８】
図４（ｂ）に示すように、ハニカムスペーサ２２の上面のメッシュ材２２１と下面のメッシュ材２２２とを結合する繊維２２３は一方向を向かず、多方向を向き、略台形を構成するように編まれている。それにより、ハニカムスペーサ２２の上面にかかる荷重は多方向に分散され、ハニカムスペーサ２２の上面に人体の体重程度の荷重がかかっても押し潰されない。さらに、人体の荷重が分散されるため、柔らかな感触を得ることができる。
【００３９】
また、上面のメッシュ材２２１と下面のメッシュ材２２２とを結ぶ繊維２２３は非常に細く上面と下面との間の空間に占める空間占有率は非常に低い。それにより、上面と下面との間の空間では気体が抵抗なく流動することが可能である。
【００４０】
図５は本発明の実施の形態に係る陰電位治療器１の回路図である。図５の陰電位治療器はコントローラ部２００および加温／陰電位発生部５からなる。
【００４１】
加温／陰電位発生部５にはヒータ２１０および温度センサ２１２が内蔵されている。ヒータ２１０は、第１の発熱導体２１０ａ、第２の発熱導体２１０ｂおよびシールド導体２１０ｃからなる。一方、温度センサ２１２は、感熱線２１２ａおよびシールド導体２１２ｂからなる。本実施の形態では、ヒータ２１０のシールド導体２１０ｃおよび温度センサ２１２のシールド導体２１２ｂが陰電位付与のための電床２４０として用いられる。ヒータ２１０は、図１のクッション材２ｂの下面側のほぼ全面にわたって蛇行するように配置されている。
【００４２】
コントローラ部２００は、主としてダイオード２０１，２０２、陰電位発生回路（負電位発生回路）２０３、温度制御回路２０４、変圧器２０５、直流電源回路２０６、マイクロコンピュータ２０７、メインスイッチ２０９、サイリスタ２１３およびスイッチング素子２１４を含む。
【００４３】
ラインＬ１はプラグ２０８の一方の電極に接続され、ラインＬ２はプラグ２０８の他方の電極に接続されている。ダイオード２０１のアノードはノードＮ１に接続され、カソードはラインＬ１に接続されている。ダイオード２０２のアノードはノードＮ１に接続され、カソードはラインＬ２に接続されている。これらのダイオード２０１，２０２が正電位側端子接続回路２３０を構成する。
【００４４】
変圧器２０５の１次巻線２０５ａはラインＬ１，Ｌ２間に接続されている。陰電位発生回路２０３の一方の電源端子２０３ａは変圧器２０５の一方の２次巻線２０５ｂの一端に接続され、他方の電源端子２０３ｂはスイッチング素子２１４を介して２次巻線２０５ｂの他端に接続されている。陰電位発生回路２０３の正電位側端子２３１はノードＮ１に接続され、負電位側端子２３２はヒータ２１０のシールド導体２１０ｃおよび温度センサ２１２のシールド導体２１２ｂに接続されている。この陰電位発生回路２０３は、例えば両波２段重ね４倍電圧回路からなり、負電位側端子２３２からは例えば−６００Ｖの負電位が出力される。
【００４５】
変圧器２０５の他方の２次巻線２０５ｃには直流電源回路２０６が接続されている。マイクロコンピュータ２０７は、予め設定された制御プログラムおよび負電位発生パターンに従って、スイッチング素子２１４に負電位の発生タイミングおよび発生期間を制御するための制御信号ＳＣを与えるとともに、陰電位発生回路２０３に負電位のレベルを切り換えるための制御信号ＶＣを与える。
【００４６】
また、マイクロコンピュータ２０７は、使用者によるリモコン４の操作に基づき、エアーファン３１ａ，３１ｂに制御信号ＳＢを与え、エアーファン３１ａ，３１ｂの動作を制御する。さらに、マイクロコンピュータ２０７は、使用者によるリモコン４の操作に基づき、スイッチ２０９に制御信号ＳＡを与えることによりスイッチ２０９をオンまたはオフさせ、第１の発熱導体２１０ａおよび第２の発熱導体２０１ｂを制御する。マイクロコンピュータ２０７を動作させるための直流電圧は直流電源回路２０６により与えられる。
【００４７】
ヒータ２１０の第１の発熱導体２１０ａの一端と第２の発熱導体２１０ｂの一端との間にはダイオード２１１が接続されている。第１の発熱導体２１０ａの他端はラインＬ１に接続され、第２の発熱導体２１０ｂの他端はサイリスタ２１３を介してラインＬ２に接続されている。温度センサ２１２の感熱線２１２ａの両端は温度制御回路２０４に接続されている。温度制御回路２０４は、感熱線２１２ａに流れる電流の値に基づいてサイリスタ２１３をオンオフ制御する。
【００４８】
コンセント４００の一方の電極は交流電源（商用電力供給用電源）ＡＣの非活線（接地側電位線）４０１に接続され、他方の電極は交流電源ＡＣの活線（非接地側電位線）４０２に接続されている。
【００４９】
マイクロコンピュータ２０７から制御信号ＳＡがスイッチ２０９に与えられてスイッチ２０９がオンすると、ラインＬ１からヒータ２１０の第１の発熱導体２１０ａ、ダイオード２１１、第２の発熱導体２１０ｂおよびサイリスタ２１３を介してラインＬ２に電流が流れる。それにより、ヒータ２１０の第１および第２の発熱導体２１０ａ，２１０ｂが発熱する。このとき、温度制御回路２０４は温度センサ２１２の感熱線２１２ａに流れる電流の値に基づいてサイリスタ２１３をオンオフ制御することにより温度制御を行う。
【００５０】
一方、ノードＮ１の電位はダイオード２０１，２０２により接地電位または負電位に保持される。マイクロコンピュータ２０７が制御信号ＳＣによりスイッチング素子２１４をオンにすると、陰電位発生回路２０３の負電位側端子２３２から負電位が発生される。この負電位は電床２４０として働くヒータ２１０のシールド導体２１０ｃおよび温度センサ２１２のシールド導体２１２ｂに与えられる。これにより、陰電位治療機能が発揮される。陰電位発生回路２０３により発生される負電位のレベルはマイクロコンピュータ２０７の制御信号ＶＣにより切り換えられる。
【００５１】
図６の（ａ）は交流電源ＡＣの交流電圧の波形図であり、（ｂ）は電床２４０の電位の波形図である。図６の（ａ）に示すように、交流電源ＡＣの交流電圧は＋Ｅと−Ｅとの間で正弦波状に変化する。図６の（ｂ）に示すように、電床２４０の電位は、交流電圧の正の半サイクルで−Ｖｎとなり、負の半サイクルで−Ｖｎ−Ｅとなる。
【００５２】
図７は図５に示されるヒータ２１０の構造を示す模式図である。
図７において、絶縁体からなる芯材２２１の周囲に導電性の箔または整列線からなる第１の発熱導体２１０ａが螺旋状に巻回され、芯材２２１および第１の発熱導体２１０ａの表面が樹脂からなる絶縁層２２２により被覆されている。絶縁層２２２の周囲には導電性の箔または整列線からなる第２の発熱導体２１０ｂが螺旋状に巻回され、絶縁層２２２および第２の発熱導体２１０ｂの表面が樹脂からなる絶縁層２２３により被覆されている。さらに、絶縁層２２３の周囲にはシールド導体２１０ｃが螺旋状に巻回され、絶縁層２２３およびシールド導体２１０ｃの表面が樹脂からなる絶縁層２２４により被覆されている。絶縁層２２４の周囲には熱融着層２２５が形成されている。
【００５３】
次に、図８を参照しながら本実施例の採暖具におけるヒータ２１０の動作を説明する。
【００５４】
図８に示すように第１の発熱導体２１０ａおよび第２の発熱導２１０ｂの一端部どうしは電気的に接続されている。第１の発熱導体２１０ａの端部から電流Ｉを供給すると、第１の発熱導体２１０ａおよび第２の発熱導体２１０ｂには互いに逆方向に電流Ｉが流れる。
【００５５】
それにより、第１の発熱導体２１０ａの周囲には磁界＋Ｈが発生し、第２の発熱導体２１０ｂの周囲には磁界−Ｈが発生する。磁界＋Ｈおよび磁界−Ｈの向きは互いに反対となっている。したがって、磁界＋Ｈと磁界−Ｈとが互いに相殺され、ヒータ２１０の周囲にはほとんど磁界が発生しない。
【００５６】
また、第１の発熱導体２１０ａおよび第２の発熱導体２１０ｂはシールド導体２１０ｃにより一体的に覆われ、シールド導体２１０ｃは負電位−Ｖｎに保持されている。したがって、ヒータ２１０内の電界がシールド導体２１０ｃで遮蔽され、ヒータ２１０の外部には電界が発生しない。
【００５７】
このように、ヒータ２１０の外部には磁界および電界がほとんど形成されず、電磁波がほとんど発生しない。また、シールド導体２１０ｃに負電位−Ｖｎが付与されるので、陰電位治療機能が発揮される。さらに、シールド導体２１０ｃが第１および第２の発熱導体２１０ａ，２１０ｂから電気的に分離されているので、陰電位治療をヒータ加熱と独立に任意のタイミングで行なうことができる。
【００５８】
また、本実施の形態に係るヒータ２１０においては、第１の発熱導体２１０ａ、第２の発熱導体２１０ｂおよびシールド導体２１０ｃが同軸に形成されているので、取り扱いが容易である。
【００５９】
以上のように、本実施の形態に係る採暖具では、ヒータ２１０からほとんど電磁波が発生されることなく、陰電位治療機能が実現される。
【００６０】
なお、本実施の形態では、第１の発熱導体２１０ａおよび第２の発熱導体２１０ｂが同軸に配置されているが、第１の発熱導体２１０ａおよび第２の発熱導体２１０ｂを互いに沿うように平行に配置してもよい。
【００６１】
また、上記実施の形態では、第１および第２の導線として第１および第２の発熱導体２１０ａ，２１０ｂを用いているが、第１および第２の導線の一方を発熱導体により形成し、他方を単なる導体により形成してもよい。
【００６２】
図９は、通気部３の動作を説明する図である。
ここで、一般に通常の気温環境下では人体５の温度は気温よりも高い。したがって、気温にほぼ等しい温度の通気部３と人体５とが接すると、その境界に温度勾配が発生する。それにより、熱の移動が生じて温度の高い人体５から温度の低い通気部３に熱が移動する。
【００６３】
しかしながら、人体５は体温を一定に保つために常に熱を放出するため、通気部３に移動した熱が通気部３に蓄積され、通気部３の温度が上昇する。それにより、人体５と通気部３との境界における温度勾配が小さくなる。
【００６４】
気温が比較的低い場合（例えば気温２０℃）、人体５から通気部３に熱が移動して通気部３に熱が蓄積される。しかしながら、通気部３と通気部３周辺の空気との間に温度勾配が生じるため熱が空気中へ移動する。それにより、人体５と通気部３との境界における温度勾配は適度に保たれ、人体は不快感を持たない。一方、夏の夜等で気温が高い場合（例えば気温２８℃）、熱が蓄積された通気部３と通気部３周辺の空気との間に生じる温度勾配が小さくなるため、通気部３から空気中へ熱がほとんど移動しない。したがって、人体５は暑さを感じる。また、人体５が発汗すると人体５と通気部３との境界の湿度が上昇する。それにより、人体５は不快感を持つようになる。
【００６５】
本実施の形態における陰電位治療器においては、以下の動作により冷却効果および除湿効果が発揮され、陰電位治療が快適かつ効果的に行われる。
【００６６】
以下、通気部３の動作について説明する。
使用者がリモコン４を操作して通気部３をオンすると、図２のファン３１ａ，３１ｂが動作する。それにより、吸入部１０から周辺の空気が吸い込まれ、吸い込まれた空気は通路部２０を通り、排出部３０のファン３１ａ，３１ｂを通って図２の空気出口３３ａ，３３ｂから排出される。それにより、通路部２０の内部は常に気温と等しい温度に保たれる。したがって、人体５と通気部３との境界に生じる温度勾配は常に一定に保たれ、通気部３に熱が蓄積されない。
【００６７】
また、人体５から発生する汗は含水性に富むスペーサカバー２１に吸収される。スペーサカバー２１に吸収された汗は通路部２０を流れる空気により気化して排出部３０から排出される。この場合、汗が気化することにより人体５から熱が奪われ、冷却効果が高まる。また、絶えず通路部２０に空気が供給されるため通路部２０内の湿度が一定に保たれ、汗が効率良く気化する。
【００６８】
以下、通気部３の冷却効果および除湿効果を確かめるための実験結果を説明する。
【００６９】
図１０は、通気部３の冷却効果および除湿効果を確かめるための実験方法を説明する図である。
【００７０】
図１０に示すように、肘を吸入部１０側にし、手を排出部３０側にして掌がスペーサカバー２１と接するようにスペーサカバー２１上に被験者の腕全体が置かれ、その上からタオルケットがかぶせてある。スペーサカバー２１上に置かれた掌および腕とスペーサカバー２１との間に温湿度センサーＸ，Ｙが取り付けてあって、被験者の掌または腕とスペーサカバー２１との境界の温度および湿度を３０秒周期で測定することができる。実験室内の温度はほぼ３０℃で一定であり、湿度はほぼ６５％で一定であった。
【００７１】
被験者の腕がスペーサカバー２１上に置かれて所定の時間経過後に通気部３のオンおよびオフを繰り返し行った。
【００７２】
図１１は、図１０で説明した実験結果を示すグラフである。
縦軸の第１軸（左側の軸）は温度を示し、縦軸の第２軸（右側の軸）は湿度を示し、横軸は時間を示す。図１０に示すように被験者の腕がスペーサカバー２１上に置かれた時点から測定された。測定開始から１７分経過するまでは通気部３はオフであり、その後に通気部３がオンされた。このときのファン３１ａ，３１ｂに印加された電圧は５０Ｖである。測定開始から３７分経過後に通気部３がオフされ、測定開始から５４分後に通気部３が再度オンされた。このときのファン３１ａ，３１ｂに印加された電圧は３０Ｖである。
【００７３】
グラフ上の折れ線ａは実験室内温度の経時変化を示し、折れ線ｂは被験者の腕とスペーサカバー２１との境界の温度の経時変化を示し、折れ線ｃは被験者の掌とスペーサカバー２１との境界の温度の経時変化を示し、折れ線ｄは実験室内の湿度の経時変化を示し、折れ線ｅは被験者の腕とスペーサカバー２１との境界の湿度の経時変化を示し、折れ線ｆは被験者の腕とスペーサカバー２１との境界の湿度の経時変化を示す。
【００７４】
折れ線ａおよび折れ線ｄに示すように、実験室内の温度および湿度はほぼ一定に保たれている。
【００７５】
まず、折れ線ｂおよび折れ線ｃに示すように、掌または腕とスペーサカバー２１との境界の温度は、測定開始から徐々に上昇し、通気部３がオンされると下降して一定温度を保ち、通気部３がオフされると再度徐々に上昇し、通気部３がオンされると再度下降した。
【００７６】
次に、折れ線ｅおよび折れ線ｆに示すように、掌および腕とスペーサカバー２１との境界の湿度は、測定開始から徐々に上昇し、通気部３がオンされると急激に下降して一定湿度を保ち、通気部３がオフされると再度徐々に上昇し、通気部３がオンされると再度急激に下降した。
【００７７】
なお、ファン３１ａ，３１ｂに印加する電圧は、３０Ｖおよび５０Ｖのどちらでもほぼ同様の結果が得られた。
【００７８】
以上の結果より、通気部３が動作することにより通気部３に接する人体を効率良く冷却することができるとともに、湿度の上昇を抑えて人体が感じる不快感を取り除くことが可能であることがわかる。このような冷却効果および除湿効果により夏季等の気温が高い環境でも快適に陰電位治療を行うことができる。したがって、本実施の形態によれば、夏においては人体に冷感を与えつつ快適な状態で陰電位治療効果を発揮することができ、冬においては人体に温感を与えつつ快適な状態で陰電位治療効果を発揮することができる。
【００７９】
本実施の形態においては、陰電位治療器１を人体に陰電位治療を施す陰電位治療器として使用しているが、人体に陰電位治療を施さずに寝具として使用してもよい。また、図１の構成に陰電位発生機能を設けない場合には、加温機能および冷却／除湿機能を有する寝具として用いることもできる。
【００８０】
また、本実施の形態においては、通気部３の内部に空気を流動させているが、それに限られず、加温した空気を流動させてもよい。この場合、通気部３により人体が加温される。
【００８１】
さらに、本実施の形態では、スペーサとしてハニカムスペーサ２２を用いているが、これに限定されず、他の構造を有するスペーサを用いてもよい。
【００８２】
本実施の形態においては、電床２４０が陰電位発生手段に相当し、通気部３が通気手段に相当し、吸入部が気体吸入口に相当し、排出部３０が気体排出口に相当し、ファン３１ａ，３１ｂが気流形成手段およびファンに相当し、ハニカムスペーサ２２がスペーサに相当し、ハニカムスペーサ２２の上面のメッシュ材２２１および下面のメッシュ材２２２がメッシュ材に相当し、繊維２２３が複数の線材に相当し、ヒータ２１０が加温手段に相当する。
【図面の簡単な説明】
【図１】（ａ）は、本発明の実施の形態に係る陰電位治療器を説明する概略図、（ｂ）は、（ａ）のＡ−Ａ線拡大断面図、（ｃ）は、（ｂ）のＢ部の拡大断面図である。
【図２】図１の排出部の構造を示す模式図である。
【図３】ハニカムスペーサの斜視図である。
【図４】（ａ）はハニカムスペーサの平面図、（ｂ）は（ａ）のＣ−Ｃ線断面図、（ｃ）はハニカムスペーサの底面図である。
【図５】本発明の実施の形態に係る陰電位治療器の回路図である。
【図６】（ａ）は交流電源ＡＣの交流電圧の波形図であり、（ｂ）は電床の電位の波形図である。
【図７】図５に示されるヒータの構造を示す模式図である。
【図８】図７のヒータの動作を説明するための図である。
【図９】冷却部の動作を説明する図である。
【図１０】冷却部の冷却効果および除湿効果を確かめるための実験方法を説明する図である。
【図１１】図１０で説明した実験結果を示すグラフである。
【符号の説明】
１  陰電位治療器
２  マット部
２ａ  側生地
２ｂ  クッション材
２ｃ  加温器
３  通気部
４  リモコン
５  加温／陰電位発生部
１０  吸入部
２０  通路部
２１  スペーサカバー
２２  ハニカムスペーサ
３０  排出部
３１ａ，３１ｂ  ファン
３２  空気入口
３３ａ，３３ｂ  空気出口
２００  制御部
２０３  陰電位発生回路
２１０  ヒータ
２１０ａ  第１の発熱導体
２１０ｂ  第２の発熱導体
２１０ｃ  シールド導体
２１２  温度センサ
２１２ａ  感熱線
２１２ｂ  シールド導体
２４０  電床
３００  加温部
ＡＣ  交流電源
【図１】
2004167015.tif 000003
【図２】
2004167015.tif 000004
【図３】
2004167015.tif 000005
【図４】
2004167015.tif 000006
【図５】
2004167015.tif 000007
【図６】
2004167015.tif 000008
【図７】
2004167015.tif 000009
【図８】
2004167015.tif 000010
【図９】
2004167015.tif 000011
【図１０】
2004167015.tif 000012
【図１１】
2004167015.tif 000013